(57)【要約】【課題】キャビネット固定用のビスを削減して生産性を向上させることができる表示装置を提供する。【解決手段】前側に表示面を有するパネルモジュール１と、パネルモジュール１の周縁部を取り囲むフロントキャビネット２と、パネルモジュール１の後側を覆うバックキャビネット３とを備えた表示装置において、フロントキャビネット２は、内面からバックキャビネット３側へ突出した可撓性爪部２３と、可撓性爪部２３及びパネルモジュール１の周縁部を囲繞する前筒部２２とを備え、バックキャビネット３は、内面からフロントキャビネット２側へ突出し、可撓性爪部２３が掛止する被掛止板３４と、被掛止板３４及びパネルモジュール１の周縁部を囲繞する後筒部３２とを備え、可撓性爪部２３及び被掛止板３４を覆うように前筒部２２及び後筒部３２を係合させる。【選択図】図２
2013011848.tif 000002
【特許請求の範囲】
【請求項１】
前側に表示面を有するパネルモジュールと、該パネルモジュールの周縁部を取り囲むフロントキャビネットと、前記パネルモジュールの後側を覆うバックキャビネットとを備えた表示装置において、
前記フロントキャビネットは、
内面から前記バックキャビネット側へ突出した可撓性掛止部と、
該可撓性掛止部及び前記パネルモジュールの周縁部を囲繞する前筒部と
を備え、
前記バックキャビネットは、
内面から前記フロントキャビネット側へ突出し、前記可撓性掛止部が掛止する被掛止部と、
該被掛止部及び前記パネルモジュールの周縁部を囲繞する後筒部と
を備え、
前記前筒部及び後筒部は、
前記可撓性掛止部及び被掛止部を覆うように係合している
ことを特徴とする表示装置。
【請求項２】
前記被掛止部は、
前記パネルモジュールの周縁部に当接している
ことを特徴とする請求項１に記載の表示装置。
【請求項３】
前記フロントキャビネットの内面であって、前記被掛止部に当接したパネルモジュールの外周面と当接する位置に設けられており、前記パネルモジュールの外周面に当接することによって、前記フロントキャビネットに対する前記パネルモジュールの位置決めをする位置決め部材を備える
ことを特徴とする請求項２に記載の表示装置。
【請求項４】
前記バックキャビネットの内面から前記フロントキャビネット側へ突出し、前記バックキャビネットに前記パネルモジュールを締結する締結部材が挿通するボスを備え、
該ボス及び前記被掛止部は、一体的に成形されている
ことを特徴とする請求項１から請求項３までのいずれか一つに記載の表示装置。
【請求項５】
前側に表示面を有するパネルモジュールと、該パネルモジュールの周縁部を取り囲むフロントキャビネットと、前記パネルモジュールの後側を覆うバックキャビネットとを備えた表示装置において、
前記フロントキャビネットは、
内面から前記バックキャビネット側へ突出した掛止部と、
該掛止部及び前記パネルモジュールの周縁部を囲繞する前筒部と
を備え、
前記バックキャビネットは、
内面から前記フロントキャビネット側へ突出し、前記掛止部が掛止する可撓性被掛止部と、
該可撓性被掛止部及び前記パネルモジュールの周縁部を囲繞する後筒部と
を備え、
前記前筒部及び後筒部は、
前記掛止部及び可撓性被掛止部を覆うように係合している
ことを特徴とする表示装置。
【請求項６】
前記掛止部は、
前記パネルモジュールの周縁部に当接している
ことを特徴とする請求項５に記載の表示装置。
【請求項７】
前記フロントキャビネットの内面であって、前記掛止部に当接したパネルモジュールの外周面と当接する位置に設けられており、前記パネルモジュールの外周面に当接することによって、前記フロントキャビネットに対する前記パネルモジュールの位置決めをする位置決め部材を備える
ことを特徴とする請求項６に記載の表示装置。
【請求項８】
前記バックキャビネットの内面から前記フロントキャビネット側へ突出し、前記バックキャビネットに前記パネルモジュールを締結する締結部材が挿通するボスを備え、
該ボス及び前記可撓性被掛止部は、一体的に成形されている
ことを特徴とする請求項１から請求項７までのいずれか一つに記載の表示装置。
【請求項９】
前記パネルモジュールは、
液晶パネルと、
該液晶パネルの後面側に配されたバックライト装置と、
前記液晶パネル及び前記バックライト装置を一体的に保持する保持枠体と
を備えることを特徴とする請求項１から請求項８までのいずれか一つに記載の表示装置。
【請求項１０】
請求項１から請求項９までのいずれか一つに記載の表示装置と、
テレビジョン信号を受信する受信部と
を備え、
前記表示装置は、
前記受信部が受信したテレビジョン信号にて映像を表示するようにしてある
ことを特徴とするテレビ受像機。
【発明の詳細な説明】
【技術分野】
【０００１】
本発明は、前側に表示面を有するパネルモジュールと、該パネルモジュールの周縁部を取り囲むフロントキャビネットと、前記パネルモジュールの後側を覆うバックキャビネットとを備えた表示装置及びテレビ受像機に関する。
【背景技術】
【０００２】
テレビ受像機等の表示装置は、映像を表示する表示面を前側に有するパネルモジュールと、該パネルモジュールの周縁部を取り囲むフロントキャビネットと、前記パネルモジュールの後側を覆うバックキャビネットとを備えている（例えば、特許文献１）。
【先行技術文献】
【特許文献】
【０００３】
【特許文献１】特開２００６−３３７９７６号公報
【発明の概要】
【発明が解決しようとする課題】
【０００４】
しかしながら、特許文献１に係る表示装置においては、パネルモジュールと、フロントキャビネットとをビスを用いて固定しており、組立作業工数の増大が問題となっていた。
【０００５】
本発明は斯かる事情に鑑みてなされたものであり、その目的は、キャビネット固定用のビスを削減して生産性を向上させることができる表示装置及びテレビ受像機を提供することにある。
【課題を解決するための手段】
【０００６】
本発明に係る表示装置は、前側に表示面を有するパネルモジュールと、該パネルモジュールの周縁部を取り囲むフロントキャビネットと、前記パネルモジュールの後側を覆うバックキャビネットとを備えた表示装置において、前記フロントキャビネットは、内面から前記バックキャビネット側へ突出した可撓性掛止部と、該可撓性掛止部及び前記パネルモジュールの周縁部を囲繞する前筒部とを備え、前記バックキャビネットは、内面から前記フロントキャビネット側へ突出し、前記可撓性掛止部が掛止する被掛止部と、該被掛止部及び前記パネルモジュールの周縁部を囲繞する後筒部とを備え、前記前筒部及び後筒部は、前記可撓性掛止部及び被掛止部を覆うように係合していることを特徴とする。
【０００７】
本発明にあっては、フロントキャビネットと、バックキャビネットとを組み付けた場合、可撓性掛止部が被掛止部に掛止するため、ビスを用いること無く、フロントキャビネットと、バックキャビネットとを固定することができる。また、前記可撓性掛止部及び被掛止部は、フロントキャビネット及びバックキャビネットの前筒部及び後筒部で覆われているため、外部から視認されることは無い。なお、言うまでも無く、一部にビスを用いても良い。
【０００８】
本発明に係る表示装置は、前記被掛止部は、前記パネルモジュールの周縁部に当接していることを特徴とする。
【０００９】
本発明にあっては、被掛止部がパネルモジュールの周縁部に当接している。従って、被掛止部が縦方向又は横方向内側に撓み難く、バックキャビネットと、フロントキャビネットとの取り付けをより強固にすることが可能である。
【００１０】
本発明に係る表示装置は、前記フロントキャビネットの内面であって、前記被掛止部に当接したパネルモジュールの外周面と当接する位置に設けられており、前記パネルモジュールの外周面に当接することによって、前記フロントキャビネットに対する前記パネルモジュールの位置決めをする位置決め部材を備えることを特徴とする。
【００１１】
本発明にあっては、前記フロントキャビネットの内面であって、前記被掛止部に当接したパネルモジュールの外周面と当接する位置に設けられた位置決め部材がパネルモジュールの外周面に当接する。従って、表示装置の組立工程において、フロントキャビネットに対するパネルモジュールの位置決めを行うことができる。
【００１２】
本発明に係る表示装置は、前記バックキャビネットの内面から前記フロントキャビネット側へ突出し、前記バックキャビネットに前記パネルモジュールを締結する締結部材が挿通するボスを備え、該ボス及び前記被掛止部は、一体的に成形されていることを特徴とする。
【００１３】
本発明にあっては、ボスと、被掛止部とが一体的に形成されているため、組み立てられたフロントキャビネット及びバックキャビネットを分解する際、内部で掛止している可撓性掛止部及び被掛止部の位置を特定し易い。従って、表示装置を分解し易い。
【００１４】
本発明に係る表示装置は、前側に表示面を有するパネルモジュールと、該パネルモジュールの周縁部を取り囲むフロントキャビネットと、前記パネルモジュールの後側を覆うバックキャビネットとを備えた表示装置において、前記フロントキャビネットは、内面から前記バックキャビネット側へ突出した掛止部と、該掛止部及び前記パネルモジュールの周縁部を囲繞する前筒部とを備え、前記バックキャビネットは、内面から前記フロントキャビネット側へ突出し、前記掛止部が掛止する可撓性被掛止部と、該可撓性被掛止部及び前記パネルモジュールの周縁部を囲繞する後筒部とを備え、前記前筒部及び後筒部は、前記掛止部及び可撓性被掛止部を覆うように係合していることを特徴とする。
【００１５】
本発明にあっては、フロントキャビネットと、バックキャビネットとを組み付けた場合、可撓性被掛止部に掛止部が掛止するため、ビスを用いること無く、フロントキャビネットと、バックキャビネットとを固定することができる。また、前記可撓性被掛止部及び掛止部は、フロントキャビネット及びバックキャビネットの前筒部及び後筒部で覆われているため、外部から視認されることは無い。なお、言うまでも無く、一部にビスを用いても良い。
【００１６】
本発明に係る表示装置は、前記掛止部は、前記パネルモジュールの周縁部に当接していることを特徴とする。
【００１７】
本発明にあっては、掛止部がパネルモジュールの周縁部に当接している。従って、可撓性被掛止部が縦方向又は横方向内側に撓み難く、バックキャビネットと、フロントキャビネットとの取り付けをより強固にすることが可能である。
【００１８】
本発明に係る表示装置は、前記フロントキャビネットの内面であって、前記掛止部に当接したパネルモジュールの外周面と当接する位置に設けられており、前記パネルモジュールの外周面に当接することによって、前記フロントキャビネットに対する前記パネルモジュールの位置決めをする位置決め部材を備えることを特徴とする。
【００１９】
本発明にあっては、前記フロントキャビネットの内面であって、前記掛止部に当接したパネルモジュールの外周面と当接する位置に設けられた位置決め部材がパネルモジュールの外周面に当接する。従って、表示装置の組立工程において、フロントキャビネットに対するパネルモジュールの位置決めを行うことができる。
【００２０】
本発明に係る表示装置は、前記バックキャビネットの内面から前記フロントキャビネット側へ突出し、前記バックキャビネットに前記パネルモジュールを締結する締結部材が挿通するボスを備え、該ボス及び前記可撓性被掛止部は、一体的に成形されていることを特徴とする。
【００２１】
本発明にあっては、ボスと、可撓性被掛止部とが一体的に形成されているため、組み立てられたフロントキャビネット及びバックキャビネットを分解する際、内部で掛止している掛止部及び可撓性被掛止部の位置を特定し易い。従って、表示装置を分解し易い。
【００２２】
本発明に係る表示装置は、前記パネルモジュールは、液晶パネルと、該液晶パネルの後面側に配されたバックライト装置と、前記液晶パネル及び前記バックライト装置を一体的に保持する保持枠体とを備えることを特徴とする。
【００２３】
本発明にあっては、液晶パネル及びバックライト装置を保持枠体で一体とすることによってパネルモジュールが構成される。
【００２４】
本発明に係るテレビ受像機は、上述のいずれか一つの表示装置と、テレビジョン信号を受信する受信部とを備え、前記表示装置は、前記受信部が受信したテレビジョン信号にて映像を表示するようにしてあることを特徴とする。
【００２５】
本発明にあっては、映像信号を受信し、表示装置に該映像信号に係る映像を表示することが可能である。
【発明の効果】
【００２６】
本発明によれば、キャビネット固定用のビスを削減して生産性を向上させることができる。また、可撓性掛止部及び被掛止部は、フロントキャビネット及びバックキャビネットの前筒部及び後筒部で覆われているため、外部から視認されることは無く、表示装置の構造上の品位を向上させることができる。
【図面の簡単な説明】
【００２７】
【図１】本発明の実施の形態に係る表示装置の一構成例を示す正面側の分解斜視図である。
【図２】表示装置の要部を示す拡大側断面図である。
【図３】フロントキャビネットと、バックキャビネットとの取り付け構造の要部を示す背面側から見た分解斜視図である。
【図４】バックキャビネットの取り付け構造部分を示した要部の斜視図である。
【図５】フロントキャビネットの背面図である。
【図６】変形例１に係る表示装置の要部を示す拡大側断面図である。
【図７】変形例２に係る表示装置の要部を示す拡大側断面図である。
【図８】フロントキャビネットと、バックキャビネットとの取り外し方法を示した説明図である。
【発明を実施するための形態】
【００２８】
以下、本発明をその実施の形態を示す図面に基づいて詳述する。
図１は、本発明の実施の形態に係る表示装置の一構成例を示す正面側の分解斜視図である。本実施の形態に係る表示装置は、例えば、液晶テレビなどのテレビ受像機である。表示装置は、前側に表示面１１ａを有し、略直方体をなすパネルモジュール１と、パネルモジュール１の周縁部を取り囲むフロントキャビネット２と、パネルモジュール１の後側を覆うバックキャビネット３と、バックキャビネット３にパネルモジュール１を固定するためのビス（締結部材）４と、映像信号を受信するチューナ（受信部）５と、電気回路６と、パネルモジュール１を起立状態で支持するスタンド７とを備える。
【００２９】
図２は、表示装置の要部を示す拡大側断面図、図３は、フロントキャビネット２と、バックキャビネット３との取り付け構造の要部を示す背面側から見た分解斜視図、図４は、バックキャビネット３の取り付け構造部分を示した要部の斜視図、図５は、フロントキャビネット２の背面図である。
【００３０】
パネルモジュール１は、前側に表示面１１ａを有する横長略矩形状の液晶パネル１１と、液晶パネル１１の後面側に配置された図示しない光学シートと、該光学シートの後面側に配置されたバックライト装置１２と、液晶パネル１１及びバックライト装置１２を一体的に保持する保持枠体１３とを備える。バックライト装置１２は、平皿状のバックライトシャーシ、バックライトシャーシに配された反射シート及び複数の光源を有する。光源は、例えば、ＬＥＤ、冷陰極蛍光管である。また、パネルモジュール１は、パネルモジュール１と、バックキャビネット３とをビス止めするためのビス孔が後面側に形成されている。
【００３１】
チューナ５及び電気回路６は、バックライト装置１２を構成するバックライトシャーシの背面側に取り付けられている。
【００３２】
フロントキャビネット２は、パネルモジュール１の表示面１１ａ側の周縁を覆う枠板部２１と、該枠板部２１の外周縁から後方へ連なり、パネルモジュール１の外周を覆う前筒部２２とを有する。枠板部２１の後面には、フロントキャビネット２と、バックキャビネット３とを接合するための可撓性爪部２３（可撓性掛止部）が設けられている。可撓性爪部２３は、図３に示すように、枠板部２１の後面からバックキャビネット３側へ突出しており、フロントキャビネット２の上下左右にそれぞれ複数設けられている。可撓性爪部２３の数は、表示装置の大きさによって適宜決定される。可撓性爪部２３は、先端部に鉤状部分を有する板状をなし、図３及び図５に示すように、背面視で、枠板部２１の周縁に沿った線状をなす。鉤状部分は、表示面１１ａの面内方向内側に傾斜面を有し、鉤状部分の面内方向外側は平坦である。
なお、可撓性爪部２３の高さ、即ち表示装置の前後方向寸法は、図では前筒部２２の前後方向寸法よりも可撓性爪部２３の方が長いが、前筒部２２の前後方向寸法よりも短く構成しても良い。つまり、フロントキャビネット２を横方向から見た際、前筒部２２に可撓性爪部２３が隠れるように構成すると良い。このように構成することによって、表示装置の組み立て工程において、フロントキャビネット２から後側へ飛び出した可撓性爪部２３が破損することを防止することができる。
【００３３】
また、フロントキャビネット２は、パネルモジュール１の外周面に当接することによって、フロントキャビネット２に対する前記パネルモジュール１の位置決めをする複数の位置決め部材２４を備える。位置決め部材２４は、フロントキャビネット２の内面、即ち枠板部２１の後側面からバックキャビネット３側へ突出しており、被掛止板３４に当接したパネルモジュール１の外周面と当接する位置に設けられている。位置決め部材２４は、複数の当接片２４ａ、２４ｂを有する。当接片２４ａ、２４ｂを備えることによって、当接片２４ａ、２４ｂによって、パネルモジュール１に対するフロントキャビネット２の位置を所定箇所に位置決めをすることができる。また、可撓性爪部２３にパネルモジュール１が直接的に当接して不測の応力が働くことを防止し、可撓性爪部２３の折れを防止することができる。
【００３４】
バックキャビネット３は、パネルモジュール１の背面側を覆う背面板部３１と、背面板部３１の周縁に連なる後筒部３２とを有する。後筒部３２は、前筒部２２に係合する係合部３２ａを、周縁の前端部に有し、フロントキャビネット２及びバックキャビネット３を組み立てた際、前筒部２２と、後筒部３２の周面が面一になるように形成されている。
さらに、係合部３２ａが前筒部２２の下にもぐりこむ構造とすることで、前筒部２２及び後筒部３２の隙間を通じて、係合部３２ａが外部から見えないようにしている。
背面板部３１は、バックキャビネット３と、フロントキャビネット２とを組み合わせた場合に、可撓性爪部２３と前後対向する箇所から、フロントキャビネット２側へ突出し、可撓性掛止部が掛止する被掛止板（被掛止部）３４とを有する。被掛止板３４は、背面視で、背面板部３１の周縁に沿った線状をなし、パネルモジュール１の周縁部に上下左右方向外側から当接している。また、被掛止板３４は、パネルモジュール１に当接していない方の面に、可撓性爪部２３が掛止する凹部３４ａを有する。つまり、凹部３４ａは、フロントキャビネット２と、バックキャビネット３とが組み立てられた場合に、可撓性爪部２３の鉤部分が、被掛止板３４に形成された凹部３４ａに嵌り込むように形成されている。
【００３５】
また、バックキャビネット３の背面板部３１は、バックキャビネット３の内面からフロントキャビネット２側へ突出し、バックキャビネット３にパネルモジュール１を締結する締結部材が挿通するボス３３を有する。ボス３３は、フロントキャビネット２側へ突出し、前側有底の略円筒状をなし、パネルモジュール１の背面部分に当接している。また、ボス３３は、複数の各被掛止板３４と一体的に形成されている。具体的には、円筒状の周面部分の一部と、被掛止板３４の基部とが一体的に形成されている。このようにボス３３及び被掛止板３４を形成することによって、ボス３３及び被掛止板３４がそれぞれパネルモジュール１の背面部分及び周縁部に当接し、パネルモジュール１がバックキャビネット３に嵌め込まれるようにして取り付けられる。そして、ボス３３にビス４を挿通したビス４によって、パネルモジュール１はバックキャビネット３にビス止めされている。
【００３６】
次に、フロントキャビネット２と、バックキャビネット３との固定方法の一例を説明する。まず、フロントキャビネット２の裏面が上を向くようにして、組み立て作業台にフロントキャビネット２を寝かせる。そして、フロントキャビネット２の当接片２４ａ、２４ｂにパネルモジュール１の周縁部が当接するように位置合わせして、該パネルモジュール１をフロントキャビネット２に嵌め込む。次いで、パネルモジュール１の裏面に電気基板等を取り付け、次いで、フロントキャビネット２にバックキャビネット３を取り付ける。フロントキャビネット２にバックキャビネット３が取り付けられると、被掛止板３４が、パネルモジュール１の周縁部と、可撓性爪部２３との間に入り込むように挿入され、被掛止板３４の凹部３４ａに可撓性爪部２３の鉤部分が嵌り込み、パネルモジュール１と、バックキャビネット３とが固定される。最後に、パネルモジュール１と、バックキャビネット３とをビス止めする。
なお、上述の組み立て方法は一例であり、パネルモジュール１にスタンド７を取り付け、起立状態で、フロントキャビネット２と、バックキャビネット３とを組み合わせるようにしても良い。また、先にパネルモジュール１にバックキャビネット３を取り付け、次にフロントキャビネット２を取り付けるようにしても良い。
【００３７】
このように構成された表示装置にあっては、フロントキャビネット２とバックキャビネット３を固定するためのビスを廃止することができ、部品点数の削減及びビス固定作業時間の削減により生産性を向上させることができる。
また、可撓性爪部２３と被掛止板３４を覆うように前筒部２２と後筒部３２が形成されることから可撓性爪部２３、凹部３４ａ等が外部から見えず、表示装置の組み立て完成時の品位を向上させることができる。さらに、係合部３２ａの一方が前筒部２２の内側へもぐりこむ構造とすることによって、寸法ばらつきによって発生したフロントキャビネット２とバックキャビネット３との隙間から内部が見えることが全くなくなり、さらに構造上の品位を向上させることができる。単にフロントキャビネット２とバックキャビネット３とを当接させるだけでは、寸法のばらつきによって隙間が発生して、表示装置の内部が見えてしまうこともあるが、係合部３２ａが前筒部２２の内側へもぐりこむ構造とすることによって、寸法ばらつきがあっても、隙間が発生せず、可撓性爪部２３、凹部３４ａ等が見えず、更に構造上の品位を向上させることができる。
【００３８】
また、被掛止板３４がパネルモジュール１の周縁部に当接するように構成しているため、被掛止板３４が縦方向又は横方向内側に撓み難く、可撓性爪部２３が被掛止板３４から外れることを防ぐことができる。つまり、衝撃等によって、バックキャビネット３から、フロントキャビネット２が外れることを効果的に防止することができる。
【００３９】
更に、ボス３３と、被掛止板３４とが一体的に形成されているため、組み立てられたフロントキャビネット２及びバックキャビネット３を分解する際、内部で掛止している可撓性爪部２３及び被掛止板３４の位置を特定し易く、容易に表示装置を分解することができる。
【００４０】
更にまた、バックキャビネット３と、フロントキャビネット２とをビス４を使用すること無く固定する構成であるため、フロントキャビネット２の枠板部２１にビス止め用のボス３３を設ける必要が無く、フロントキャビネット２を狭額縁化することができる。
【００４１】
更にまた、当接片２４ａ、２４ｂを備えることによって、フロントキャビネット２に対するパネルモジュール１の位置決めが容易になり、組み立て効率を向上させることができる。また、可撓性爪部２３にパネルモジュール１が直接的に当接して不測の応力が働くことを防止し、可撓性爪部２３の折れを防止することができる。
【００４２】
なお、実施の形態では、フロントキャビネットに爪形状の可撓性掛止部を設け、フロントキャビネットに凹部を有する被掛止部を設けた例を説明したが、逆に、フロントキャビネットの可撓性掛止部に凹部を設け、バックキャビネットの被掛止部に爪部を設けても良い。
【００４３】
（変形例１）
図６は、変形例１に係る表示装置の要部を示す拡大側断面図である。変形例１に係る表示装置は、可撓性爪部１２３の構成のみが実施の形態と異なるため、以下では主に上記相違点について説明する。フロントキャビネット１０２は、実施の形態と同様、枠板部１２１と、可撓性爪部１２３を有する前筒部１２２とを備える。可撓性爪部１２３の取り付け箇所、板部分を含む主要な構成は、実施の形態と同様であり、鉤部分１２３ａの断面が曲線状に形成されている。つまり、バックキャビネット３に取り付けられたフロントキャビネット１０２を前側にある程度の力で引っ張ることによって、被掛止板３４に掛止した可撓性爪部１２３が被掛止板３４の凹部３４ａから外れるように鉤部分１２３ａを形成している。
【００４４】
変形例１にあっては、メンテナンスを行う際、表示装置の内部で固定されているフロントキャビネット１０２と、バックキャビネット３とを容易に取り外すことができる。
また、通常、フロントキャビネット２及びバックキャビネット３の取り外しは、表示装置の下部であるスタンド７側から行うことが多い。下部には、スピーカー等の比較的大きな部品が配置されることが多いからである。そのため、変形例１を表示装置の下部に位置する部分にのみ適用してもよい。そうすることによって、フロントキャビネット２とバックキャビネット３の一部を分離する作業がスムーズに行え、その後は、容易に取り外しできる。
（変形例２）
図７は、変形例２に係る表示装置の要部を示す拡大側断面図である。変形例２に係る表示装置は、掛止爪（掛止部）２２３及び可撓性被掛止部２３４の構成のみが実施の形態と異なるため、以下では主に上記相違点について説明する。
【００４５】
フロントキャビネット２０２は、実施の形態と同様、枠板部２２１と、前筒部２２２とを備える。枠板部２２１の後面には、フロントキャビネット２０２と、バックキャビネット２０３とを接合するための掛止爪２２３が設けられている。掛止爪２２３は、図３に示すように、枠板部２２１の後面からバックキャビネット２０３側へ突出しており、フロントキャビネット２０２の上下左右にそれぞれ複数設けられ、パネルモジュール１の周縁部に上下左右方向外側から当接している。掛止爪２２３の数は、表示装置の大きさによって適宜決定される。掛止爪２２３は、パネルモジュール１に当接していない方の面に凸部２２３ａを有する板状をなし、背面視で、枠板部２２１の周縁に沿った線状をなす。凸部２２３ａの表面は、湾曲した曲面、例えば全体的に円弧状である。また、掛止爪２２３の高さ、即ち表示装置の前後方向寸法は、前筒部２２２の前後方向寸法よりも掛止爪２２３の方が短い。つまり、フロントキャビネット２０２を横方向から見た際、前筒部２２２に掛止爪２２３が隠れるように構成されている。このように構成することによって、表示装置の組み立て工程において、フロントキャビネット２０２から後側へ飛び出した掛止爪２２３が破損することを防止することができる。
【００４６】
また、フロントキャビネット２０２は、実施の形態と同様、パネルモジュール１の外周面に当接することによって、フロントキャビネット２０２に対するパネルモジュール１の位置決めをする複数の位置決め部材２４を備える。
【００４７】
バックキャビネット２０３は、パネルモジュール１の背面側を覆う背面板部２３１と、背面板部２３１の周縁に連なる後筒部２３２とを有する。係合部２３２ａの構成は実施の形態と同様である。背面板部２３１は、バックキャビネット２０３と、フロントキャビネット２０２とを組み合わせた場合に、掛止爪２２３と前後対向する箇所から、フロントキャビネット２０２側へ突出し、掛止爪２２３が掛止する可撓性被掛止部２３４とを有する。可撓性被掛止部２３４は、背面視で、背面板部２３１の周縁に沿った線状をなしている。また、可撓性被掛止部２３４は、パネルモジュール側の面、つまり内側の面に、掛止爪２２３が掛止する凹部２３４ａを有する。つまり、凹部２３４ａは、フロントキャビネット２０２と、バックキャビネット２０３とが組み立てられた場合に、掛止爪２２３の凸部２２３ａが、可撓性被掛止部２３４に形成された凹部２３４ａに嵌り込むように形成されている。凹部２３４ａの表面は、凸部２２３ａに倣って湾曲した曲面を有する。
【００４８】
また、バックキャビネット２０３の背面板部２３１は、実施の形態と同様のボス２３３を有する。ボス２３３は、フロントキャビネット２０２側へ突出し、前側有底の略円筒状をなし、パネルモジュール１の背面部分に当接している。また、ボス２３３は、複数の各可撓性被掛止部２３４と一体的に形成されている。具体的には、円筒状の周面部分の一部と、可撓性被掛止部２３４の基部とが一体的に形成されている。このようにボス２３３及び可撓性被掛止部２３４を形成することによって、ボス２３３及び可撓性被掛止部２３４がそれぞれパネルモジュール１の背面部分及び周縁部に当接し、パネルモジュール１がバックキャビネット２０３に嵌め込まれるようにして取り付けられる。そして、ボス２３３にビス４を挿通したビス４によって、パネルモジュール１はバックキャビネット２０３にビス止めされている。
【００４９】
図８は、フロントキャビネット２０２と、バックキャビネット２０３との取り外し方法を示した説明図である。表示装置のメンテナンスを行う際、バックキャビネット２０３の縁、特にボス２３３近傍を掴むようにして、後側へ引っ張ることによって、表示装置の内部で固定されているフロントキャビネット２０２と、バックキャビネット２０３とを容易に取り外すことができる。つまり、このようにバックキャビネット２０３の縁を掴むようにして後側へ引っ張った場合、バックキャビネット２０３の後筒部２３２が後方内側へ変形し、係合部２３２ａがフロントキャビネット２０２の前筒部２２２から外れると共に、掛止爪２２３から可撓性被掛止部２３４が浮き上がるようにして外れ、フロントキャビネット２０２から、バックキャビネットが取り外される。
【００５０】
変形例２にあっては、メンテナンスを行う際、表示装置の内部で固定されているフロントキャビネット２０２と、バックキャビネット２０３とを容易に取り外すことができる。
【００５１】
本実施の形態では、表示装置の一例として液晶テレビを説明したが、いうまでも無く、プラズマ表示装置、ＥＬディスプレイ等の表示装置に本発明を適用しても良い。また、チューナを備えていない表示装置、例えばパーソナルコンピュータ用のディスプレイに本発明を適用しても良い。
【００５２】
なお、今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００５３】
１  パネルモジュール
２  フロントキャビネット
３  バックキャビネット
４  ビス
５  チューナ
６  電気回路
７  スタンド
１１  液晶パネル
１１ａ  表示面
１２  バックライト装置
１３  保持枠体
２１，１２１  枠板部
２２，１２２  前筒部
２３，１２３  可撓性爪部
２４  位置決め部材
２４ａ、２４ｂ  当接片
３１  背面板部
３２  後筒部
３２ａ  係合部
３３  ボス
３４  被掛止板
３４ａ  凹部
【図１】
2013011848.tif 000003
【図２】
2013011848.tif 000004
【図３】
2013011848.tif 000005
【図４】
2013011848.tif 000006
【図５】
2013011848.tif 000007
【図６】
2013011848.tif 000008
【図７】
2013011848.tif 000009
【図８】
2013011848.tif 000010